Podtech/llm-jp-corpus-v4-ja_patent huggingface dataset:
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
自動車（５００）用のリアビューミラーアセンブリ（１００）であって、
ミラーハウジング（１１０）に取り付けられたハーフミラー（１２０）及びディスプレイ（１３０）、並びに前記ミラーハウジング（１１０）に枢動可能に結合され、前記自動車（５００）の内部に取り付けるように適合された駆動プレート（１４０）、
前記ミラーハウジング（１１０）を２つの異なる角度位置（１２５、１２６）の間に移動させるために前記駆動プレート（１４０）に枢動可能に取り付けられたアクチュエータスイッチレバー（２００）、並びに
前記ミラーハウジングの前記角度位置（１２５、１２６）の少なくとも１つを調整するための可調整位置決め機構（３００）
を備え、
前記角度位置はアクチュエータスイッチレバー（２００）の動きの終端に対応し、前記ミラーハウジング（１１０）は前記角度位置（１２５、１２６）の間に位置決めされ、前記アクチュエータスイッチレバー（２００）によって、ディスプレイ（１３０）がハウジング角度位置（１２５、１２６）に応じてスイッチオンまたはスイッチオフされ、前記ハーフミラー（１２０）が第１のミラーハウジング角度終端位置（１２５）から第２のミラーハウジング角度終端位置（１２６）へと、決められた角度（α）のぶん移動させられ、
前記可調整位置決め機構（３００）は前記決められた角度（α）を調整するように適合されている、自動車（５００）用のリアビューミラーアセンブリ（１００）。
【請求項２】
前記ハーフミラー（１２０）の平面（１２５）によって２つの異なるミラーハウジング角度位置（１２５、１２６）に規定された前記角度（α）が、３°から９°の範囲で調整される、請求項１に記載のアセンブリ（１００）。
【請求項３】
前記可調整位置決め機構（３００）がギア駆動機構（３１０）を備える、請求項１または２に記載のアセンブリ（１００）。
【請求項４】
前記ギア駆動機構（３１０）が、歯車（３３０）と噛合し前記ミラーハウジング（１１０）内に回転可能に装着されたロッド（３２０）を備え、前記歯車（３３０）はラック（３３５）と噛合し、前記ラック（３３５）の移動が前記駆動プレート（１４０）の終端位置を規定する、請求項３に記載のアセンブリ（１００）。
【請求項５】
前記ラック（３３５）の移動が生じないように、前記ロッド（３２０）を自由に回転させるように適合された係合解除機構（３１５）をさらに含む、請求項４に記載のアセンブリ（１００）。
【請求項６】
ミラーハウジング角度位置の範囲を変更するために、前記ミラーハウジング（１１０）と前記アクチュエータスイッチレバー（２００）のうちの少なくとも１つが、前記ギア駆動機構（３１０）を外側から駆動させるための開口部（１７６）を有する、請求項４または５に記載のアセンブリ（１００）。
【請求項７】
前記可調整位置決め機構（３００）が前記ミラーハウジング（１１０）内に移動可能に装着されたスライド部材（３４０）を備え、前記スライド部材（３４０）が前記駆動プレート（１４０）に異なるミラーハウジング角度位置の範囲で当接するように適合された少なくとも１つのくさび形部（３５０）を備える、請求項１または２に記載のアセンブリ（１００）。
【請求項８】
前記くさび形部（３５０）が、前記ハーフミラー（１２０）の平面によって規定される前記角度（α）を不連続の異なるミラーハウジング角度位置に調整するように、少なくとも部分的に段付きになっている、請求項７に記載のアセンブリ（１００）。
【請求項９】
ミラーハウジング角度位置の前記範囲を変更するために、前記ミラーハウジング（１１０）が、前記スライド部材（３４０）を外側から駆動させるための開口部（１７６）を有する、請求項７または８に記載のアセンブリ（１００）。
【請求項１０】
前記駆動プレート（１４０）が、前記自動車（５００）の前記内部に前記駆動プレート（１４０）を取り付けるための車両取付部（１９０）を含む、請求項１から９の何れか一項に記載のアセンブリ（１００）。
【請求項１１】
前記駆動プレート（１４０）が、前記ミラーハウジング（１１０）の前記角度位置（１２５、１２６）に応じて前記ディスプレイ（１３０）をスイッチオンまたはスイッチオフするため、少なくとも１つの電気接点（２１０）と接触する接触部を有する、請求項１から１０の何れか一項に記載のアセンブリ（１００）。
【請求項１２】
請求項１から１１の何れか一項に記載の前記リアビューミラーアセンブリ（１００）及び、前記ディスプレイ（１３０）に表示されるように前記自動車（５００）の外部から画像を捕捉するためのリアビューカメラ装置（４００）を備える、自動車用リアビューミラーシステム。
【請求項１３】
請求項１から１１の何れか一項に記載のリアビューミラーアセンブリ（１００）を提供すること、及び、少なくとも１つのミラーハウジング角度位置（１２５、１２６）を決定するために前記リアビューミラーアセンブリ（１００）の前記可調整位置決め機構（３００）を調整することを含む、リアビューミラーアセンブリ（１００）を自動車（５００）に設置するための方法。
【請求項１４】
前記ミラーハウジング角度位置（１２５）によって、前記ディスプレイ（１３０）がスイッチオフされる、請求項１３に記載の方法。
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
犠牲コーティング組成物であって、
加水分解度が少なくとも９５％の少なくとも１つのポリビニルアルコールと、
少なくとも１つのワックス状トウモロコシデンプンと、
少なくとも１つの吸湿剤と、
少なくとも１つの界面活性剤と、
水とを含み、
前記少なくとも１つのワックス状トウモロコシデンプンと、前記少なくとも１つのポリビニルアルコールの重量比が、少なくとも２：１である、犠牲コーティング組成物。
【請求項２】
前記少なくとも１つのポリビニルアルコールは、重量平均分子量が８５，０００〜１８６，０００の範囲である、請求項１に記載の犠牲コーティング組成物。
【請求項３】
前記少なくとも１つのポリビニルアルコールは、加水分解度が９５％〜９９．９％の範囲である、請求項１に記載の犠牲コーティング組成物。
【請求項４】
２０℃での前記少なくとも１つのポリビニルアルコールの脱イオン水溶液の粘度は、３０センチポイズ〜８０センチポイズの範囲であり、前記溶液は、該溶液中のポリビニルアルコールと脱イオン水の合計重量に対し、４重量％のポリビニルアルコールを含有する、請求項１に記載の犠牲コーティング組成物。
【請求項５】
前記少なくとも１つのワックス状トウモロコシデンプンと、前記少なくとも１つのポリビニルアルコールの重量比が、２：１〜４：１の範囲である、請求項１に記載の犠牲コーティング組成物。
【請求項６】
前記少なくとも１つの吸湿剤は、グリセロール、グリコール、ソルビトール、およびこれらの混合物からなる群から選択される、請求項１に記載の犠牲コーティング組成物。
【請求項７】
前記少なくとも１つの界面活性剤は、アニオン性界面活性剤、ＨＬＢ値が４〜１４の範囲である非イオン性界面活性剤から選択される、請求項１に記載の犠牲コーティング組成物。
【請求項８】
前記少なくとも１つの界面活性剤は、ラウリル硫酸ナトリウムである、請求項１に記載の犠牲コーティング組成物。
【請求項９】
犠牲コーティング組成物を製造する方法であって、
加水分解度が少なくとも９５％の少なくとも１つのポリビニルアルコール、少なくとも１つのワックス状トウモロコシデンプンおよび少なくとも１つの吸湿剤を水中で混合して混合物を作成することと、
前記混合物を少なくとも９０℃の温度まで加熱することと、
前記混合物を前記温度に少なくとも１５分間維持することとを含み、
前記混合物中の前記少なくとも１つのワックス状トウモロコシデンプンと、前記少なくとも１つのポリビニルアルコールの重量比が、少なくとも２：１である、方法。
【請求項１０】
前記少なくとも１つのポリビニルアルコールは、加水分解度が９５％〜９９．９％の範囲である、請求項９に記載の方法。
【請求項１１】
前記混合物中の前記少なくとも１つのワックス状トウモロコシデンプンと、前記少なくとも１つのポリビニルアルコールの重量比が、少なくとも２：１〜少なくとも４：１の範囲である、請求項９に記載の方法。
【請求項１２】
前記少なくとも１つの吸湿剤は、グリセロールである、請求項９に記載の方法。
【請求項１３】
前記犠牲コーティング組成物は、さらに少なくとも１つの界面活性剤を含む、請求項９に記載の方法。
【請求項１４】
前記少なくとも１つの界面活性剤は、アニオン性界面活性剤、ＨＬＢ値が４〜１４の範囲である非イオン性界面活性剤から選択される、請求項１３に記載の犠牲コーティング組成物。
【請求項１５】
犠牲コーティング組成物を製造する方法であって、
加水分解度が少なくとも９５％の少なくとも１つのポリビニルアルコールおよび水を２０℃で混合し、第１の混合物を作成することと、
前記第１の混合物を少なくとも９０℃の第１の温度まで加熱することと、
前記第１の混合物を前記第１の温度に少なくとも１５分間維持することと、
少なくとも１つのワックス状トウモロコシデンプンおよび水を２０℃で混合し、第２の混合物を作成することと、
前記第２の混合物を少なくとも９０℃の第２の温度まで加熱することと、
前記第２の混合物を前記第２の温度に少なくとも１５分間維持することと、
前記第１の混合物と前記第２の混合物とを合わせ、犠牲コーティング組成物を作成することとを含み、
前記犠牲コーティング組成物中の前記少なくとも１つのワックス状トウモロコシデンプンと、前記少なくとも１つのポリビニルアルコールの重量比が、少なくとも２：１〜少なくとも４：１の範囲である、方法。
【請求項１６】
前記第１の混合物が、少なくとも１つの吸湿剤をさらに含む、請求項１５に記載の方法。
【請求項１７】
前記第２の混合物が、少なくとも１つの吸湿剤をさらに含む、請求項１５に記載の方法。
【請求項１８】
前記第２の混合物が、少なくとも１つの吸湿剤をさらに含む、請求項１６に記載の方法。
【請求項１９】
前記少なくとも１つのポリビニルアルコールは、加水分解度が９５％〜９９．９％の範囲である、請求項１５に記載の方法。
【請求項２０】
前記少なくとも１つのポリビニルアルコールは、重量平均分子量が８５，０００〜１８６，０００の範囲である、請求項１５に記載の方法。
【請求項２１】
２０℃での前記少なくとも１つのポリビニルアルコールの脱イオン水溶液の粘度は、３０センチポイズ〜８０センチポイズの範囲であり、前記溶液は、該溶液中のポリビニルアルコールと脱イオン水の合計重量に対し、４重量％のポリビニルアルコールを含有する、請求項１５に記載の方法。
【請求項２２】
前記犠牲コーティング組成物は、さらに少なくとも１つの界面活性剤を含む、請求項１５に記載の方法。
【請求項２３】
前記犠牲コーティング組成物は、イソプロパノール、メチルエチルケトン、２−ピロリジノン、テルピネオール、ジメチルスルホキシド、Ｎ−メチルピロリドン、１，３−ジメチル−２−イミダゾリジノン、１，３−ジメチル−３，４，５，６−テトラヒドロ−２−ピリミジノン、ジメチルプロピレン尿素、およびこれらの混合物から選択される少なくとも１つの溶媒をさらに含む、請求項１５に記載の方法。
【手続補正２】
【補正対象書類名】明細書
【補正対象項目名】発明の名称
【補正方法】変更
【補正の内容】
【発明の名称】ポリビニルアルコールとワックス状デンプンとを含む犠牲コーティング組成物およびその製造方法
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
印刷システムを選択することと、
前記印刷システムに合うインク特性を有するインク組成物を選択することであって、
前記インク組成物は、金属ナノ粒子を含み、
前記印刷システムに合うインク特性を有するインク組成物を選択することは、前記印刷システムに合う沸点を有するインク組成物を選択すること、および、前記印刷システムに合う乾燥時間を有するインク組成物を選択することを含むことと、
前記インク組成物を基材に堆積させ、画像を作製するか、堆積した特徴物を作製するか、またはこれらの組合せを作製することと、
場合により、前記堆積した特徴物を加熱し、前記基材の上に導電性特徴物を作製することと、
前記インク組成物を堆積させた後、印刷後処理を行うこととを含む、プロセス。
【請求項２】
前記印刷システムは、フレキソグラフィー印刷システムまたはグラビア印刷システムである、請求項１に記載のプロセス。
【請求項３】
前記印刷後処理は、焼結を含む、請求項１に記載のプロセス。
【請求項４】
前記印刷後処理は、エッチングを含む、請求項１に記載のプロセス。
【請求項５】
前記印刷システムはグラビア印刷システムであり、前記印刷後処理は、焼結、エッチング、またはこれらの組合せを含む、請求項１に記載のプロセス。
【請求項６】
前記印刷システムに合うインク特性を有するインク組成物を選択することは、前記印刷システムに合う粘度を有するインク組成物を選択することを含む、請求項１に記載のプロセス。
【請求項７】
前記印刷システムに合うインク特性を有するインク組成物を選択することは、開口型のインク容器を備える印刷システムを選択すること、および、傾きが２より大きい乾燥曲線を有するインク組成物を選択することを含む、請求項１に記載のプロセス。
【請求項８】
前記印刷システムに合うインク特性を有するインク組成物を選択することは、開口型のインク容器を備える印刷システムのために２００℃から２５０℃の比較的高い沸点を有するインク組成物を選択することを含む、請求項１に記載のプロセス。
【請求項９】
前記印刷システムに合うインク特性を有するインク組成物を選択することは、閉じたカバーを有するインク容器を備える印刷システムのために８０℃から１９０℃の比較的低い沸点を有するインク組成物を選択することを含む、請求項１に記載のプロセス。
【請求項１０】
前記印刷システムに合うインク特性を有するインク組成物を選択することは、閉じたカバーを有するインク容器を備える印刷システムを選択すること、および、傾きが１．５未満の乾燥曲線を有するインク組成物を選択することを含む、請求項１に記載のプロセス。
【請求項１１】
前記インク組成物は、ポリスチレンと、インク媒剤とを含む、請求項１に記載のプロセス。
【請求項１２】
前記インク組成物は、ポリスチレンと、インク媒剤とを含み、前記インク媒剤は、デカリンとビシクロヘキシルの混合物を含む、請求項１に記載のプロセス。
【請求項１３】
前記インク組成物は、クレイ分散物と、インク媒剤とを含む、請求項１に記載のプロセス。
【請求項１４】
印刷システムを選択することと、
前記印刷システムに合うインク特性を有するインク組成物を選択することであって、
前記印刷システムに合うインク特性を有するインク組成物を選択することは、前記印刷システムに合う沸点を有するインク組成物を選択すること、および、前記印刷システムに合う乾燥時間を有するインク組成物を選択することを含むことと、
前記インク組成物を基材に堆積させ、堆積した特徴物を作製することと、
前記インク組成物を堆積させた後、印刷後処理を行うことと、
前記堆積した特徴物を加熱し、前記基材の上に導電性特徴物を作製することとを含む、プロセス。
【請求項１５】
前記印刷後処理は、焼結、エッチング、またはこれらの組合せを含む、請求項１４に記載のプロセス。
【請求項１６】
前記印刷システムに合うインク特性を有するインク組成物を選択することは、開口型のインク容器を備える印刷システムのために２００℃から２５０℃の比較的高い沸点を有するインク組成物を選択することを含み、または、
前記印刷システムに合うインク特性を有するインク組成物を選択することは、閉じたカバーを有するインク容器を備える印刷システムのために８０℃から１９０℃の比較的低い沸点を有するインク組成物を選択することを含む、請求項１４に記載のプロセス。
【請求項１７】
前記印刷システムは、フレキソグラフィー印刷システムまたはグラビア印刷システムである、請求項１４に記載のプロセス。
【請求項１８】
前記印刷システムに合うインク特性を有するインク組成物を選択することは、開口型のインク容器を備える印刷システムを選択すること、および、傾きが２より大きい乾燥曲線を有するインク組成物を選択することを含み；または、
前記印刷システムに合うインク特性を有するインク組成物を選択することは、閉じたカバーを有するインク容器を備える印刷システムを選択すること、および、傾きが１．５未満の乾燥曲線を有するインク組成物を選択することを含む、請求項１４に記載のプロセス。
【請求項１９】
前記インク組成物は、金属ナノ粒子と、ポリスチレンと、インク媒剤とを含む、請求項１４に記載のプロセス。
【請求項２０】
前記インク組成物は、金属ナノ粒子と、クレイ分散物と、インク媒剤とを含む、請求項１４に記載のプロセス。
【手続補正２】
【補正対象書類名】明細書
【補正対象項目名】発明の名称
【補正方法】変更
【補正の内容】
【発明の名称】高品質導電性特徴物のための印刷プロセス
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
複数の色それぞれのための固体組立インクと、支持材と、を含むカラー三次元（３Ｄ）印刷システムであって、
前記複数の色それぞれのための固体組立インクにおける各固体組立インクは、
４０〜７０重量パーセントの量の固体アクリラートと、
１０〜４５重量パーセントの量の非硬化性ワックスと、
１〜１５重量パーセントの量の硬化性ワックスと、
光開始剤と、
色素と、を含み、
ここで、各固体組立インクの初期硬化速度および最終硬度が、前記複数の色それぞれについてほぼ同じになるように、各固体組立インクは前記非硬化性ワックスと前記硬化性ワックスとの比によって調節される硬化速度を有し、
前記支持材は、各組立インクに使用される前記非硬化性ワックスを含み、各組立インクの堆積のための足場を提供する、
カラー三次元（３Ｄ）印刷システム。
【請求項２】
各固体組立インクが、前記複数の色それぞれについて異なる初期硬度を有する、請求項１に記載のシステム。
【請求項３】
各組立インクの前記硬化速度が、各組立インク用に選択された前記光開始剤に部分的に依存しない、請求項１に記載のシステム。
【請求項４】
前記複数の色がシアン、マゼンタ、イエローおよびブラックを含む、請求項１に記載のシステム。
【請求項５】
前記色がシアンである場合、前記非硬化性ワックスと前記硬化性ワックスとの重量比は、２：１〜５：１の範囲にある、請求項１に記載のシステム。
【請求項６】
前記色がブラックである場合、前記非硬化性ワックスと前記硬化性ワックスとの重量比は、２：１〜５：１の範囲にある、請求項１に記載のシステム。
【請求項７】
前記色がイエローである場合、前記非硬化性ワックスと前記硬化性ワックスとの重量比は、０．５：１〜４：１の範囲にある、請求項１に記載のシステム。
【請求項８】
前記色がマゼンタである場合、前記非硬化性ワックスと前記硬化性ワックスとの重量比は、０．５：１〜４：１の範囲にある、請求項１に記載のシステム。
【請求項９】
硬化前の層の厚さが１０ミクロン〜５ｍｍの範囲で最大となる、請求項１に記載のシステム。
【請求項１０】
組立インクのそれぞれが５〜６０単位の範囲の初期硬度を有する、請求項１に記載のシステム。
【請求項１１】
各組立インクが、２５〜３００の範囲の、硬化速度に対応する初期勾配を有する、請求項１に記載のシステム。
【請求項１２】
複数の色それぞれのための固体組立インクを準備する工程であって、
前記複数の色それぞれのための固体組立インクにおける各固体組立インクは、
４０〜７０重量パーセントの量の固体アクリラートと、
１０〜４５重量パーセントの量の非硬化性ワックスと、
１〜１５重量パーセントの量の硬化性ワックスと、
光開始剤と、
色素と、を含み、
ここで、各固体組立インクの硬化速度および最終硬度が、前記複数の色それぞれについてほぼ同じになるように、各固体組立インクは前記非硬化性ワックスと前記硬化性ワックスとの比によって調節される硬化速度を有する、
固体組立インクを準備する工程と、
支持材を準備する工程であって、
前記支持材は、各組立インクに使用される前記非硬化性ワックスを含み、三次元物品の幾何構造によって規定される少なくとも１つの固体組立インク層の堆積のための１つまたは複数の足場層を提供する、
支持材を準備する工程と、
複数の組立インク層に１種または複数の固体組立インクを堆積させて基材上に三次元物品を形成する工程であって、前記複数の組立インク層の各堆積組立インク層が、（１）前記基材、（２）前の固体組立インク層の一部、（３）前記１つまたは複数の足場層の一部、またはそれらの組み合わせの上に配置される工程と、
前記１つまたは複数の足場層に前記支持材を堆積させる工程であって、各堆積足場層が、（１）前記基材、（２）前の固体組立インク層の一部、（３）前記１つもしくは複数の足場層の一部、またはそれらの組み合わせの上に配置される工程と、
前記複数の組立インク層のそれぞれを硬化させて三次元物品を形成する工程と、
を含む、三次元物品をカラー３Ｄ印刷する方法。
【請求項１３】
硬化前の前記複数の層の１つの厚さが１０ミクロン〜５ｍｍの範囲で最大となる、請求項１２に記載の方法。
【請求項１４】
三次元物品を完成した後に前記支持材を除去する工程をさらに含む、請求項１２に記載の方法。
【請求項１５】
前記除去する工程は、前記支持材の洗浄、溶融または物理的除去を含む、請求項１４に記載の方法。
【請求項１６】
２種以上の組立インクをブレンドして、層を堆積させる前にブレンド組立インクを使用して新しい色を形成する工程をさらに含む、請求項１２に記載の方法。
【請求項１７】
前記堆積させる工程ではインクジェットプリンタを用いる、請求項１２に記載の方法。
【請求項１８】
前記硬化させる工程はＵＶ照射を含む、請求項１２に記載の方法。
【請求項１９】
請求項１２に記載の方法によって製造された三次元物品であって、
前記三次元物品が、各組立インクに使用される前記非硬化性ワックスを含む支持材を含み、
前記支持材が、三次元物品の幾何構造によって規定される少なくとも１つの固体組立インク層の堆積のための１つまたは複数の足場層を提供し、
１つまたは複数の組立インク層が、基材上に三次元物品を形成し、
前記複数の組立インク層の各堆積組立インク層が、（１）前記基材、（２）前の固体組立インク層の一部、（３）前記１つまたは複数の足場層の一部、またはそれらの組み合わせの上に配置されている、
三次元物品。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
導電性膜を作成するための組成物であって、前記組成物は、
銀を含む複数のナノワイヤと、
２５℃以下のガラス転移温度を有する、ポリマー粒子を含むラテックスと、
水性担体とを含み、
前記ナノワイヤと前記ポリマー粒子の重量比が約６：１〜約２：１の範囲である、組成物。
【請求項２】
前記ポリマー粒子は、平均粒径が３００ｎｍ以下である、請求項１に記載の組成物。
【請求項３】
前記ポリマー粒子は、アクリレートポリマー、ポリエステル、ポリウレタンおよびこれらの組み合わせからなる群から選択されるポリマーを含む、請求項１に記載の組成物。
【請求項４】
前記ポリマー粒子は、アクリレートポリマーを含む、請求項１に記載の組成物。
【請求項５】
前記組成物中のナノワイヤの量は、約１ｍｇ／ｍＬ〜約１０ｍｇ／ｍＬの範囲である、請求項１に記載の組成物。
【請求項６】
前記ナノワイヤの平均厚みは、約５０ｎｍ以下である、請求項１に記載の組成物。
【請求項７】
前記ナノワイヤの平均長さは、約１０μｍ〜約１００μｍの範囲である、請求項６に記載の組成物。
【請求項８】
前記組成物を１５０℃以下の温度で乾燥させると、前記ナノワイヤが埋め込まれた、連続したポリマー層を形成するために、前記ポリマー粒子が一緒に融合する、請求項１に記載の組成物。
【請求項９】
導電性膜を作成するための組成物であって、前記組成物は、
銀を含む複数のナノワイヤと、
ガラス転移温度が２５℃以下のポリマー粒子を含むラテックスと、
水性担体とを含み、
前記ナノワイヤと前記ポリマー粒子の重量比が約１０：１〜約２：１の範囲である、組成物。
【請求項１０】
前記ポリマー粒子は、平均粒径が３００ｎｍ以下である、請求項９に記載の組成物。
【請求項１１】
前記ポリマー粒子は、アクリレートポリマー、ポリエステル、ポリウレタンおよびこれらの組み合わせからなる群から選択されるポリマーを含む、請求項９に記載の組成物。
【請求項１２】
前記ポリマー粒子がアクリレートポリマーを含む、請求項９に記載の組成物。
【請求項１３】
前記組成物中のナノワイヤの量は、約１ｍｇ／ｍＬ〜約１０ｍｇ／ｍＬの範囲である、請求項９に記載の組成物。
【請求項１４】
前記ナノワイヤと前記ポリマー粒子の重量比が約６：１〜約２：１の範囲である、請求項９に記載の組成物。
【請求項１５】
前記ナノワイヤの平均厚みは、約５０ｎｍ以下である、請求項９に記載の組成物。
【請求項１６】
前記ナノワイヤの平均長さは、約１０μｍ〜約１００μｍの範囲である、請求項１５に記載の組成物。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
患者に薬液を注入するための自動注入器と、
前記自動注入器の電源と、
前記自動注入器と、その自動注入器の動作を制御するコントローラとの間の通信を可能とする通信手段と、
を備える薬液注入システムであって、
前記通信手段は、
前記自動注入器側から前記コントローラ側に無線方式でデータを送信する第１のユニットと、
前記コントローラ側から前記自動注入器側に無線方式でデータを送信する第２のユニットと、
を有し、
前記電源および前記第１のユニットは一体的に構成され、かつ、前記自動注入器および前記コントローラとは別体に構成されている、薬液注入システム。
【請求項２】
さらに、前記自動注入器の動作を制御するコントローラを備える、
請求項１に記載の薬液注入システム。
【請求項３】
前記自動注入器は撮像室内に配置され、
前記コントローラは撮像室外に配置される、
請求項２に記載の薬液注入システム。
【請求項４】
前記自動注入器は、薬液として造影剤を注入するものである、請求項１〜３のいずれか一項に記載の薬液注入システム。
【請求項５】
前記自動注入器は、薬液を収容した容器を複数保持するように構成されている、請求項１〜４のいずれか一項に記載の薬液注入システム。
【請求項６】
前記自動注入器は、前記コントローラ側で設定された注入条件のデータを、前記通信手段経由で受信するように構成されている、請求項１〜５のいずれか一項に記載の薬液注入システム。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
ユーザーに匂いを提示する匂い提示装置であって、
本体と、
前記本体に対して着脱可能に構成され、ユーザーに匂いを感じさせる匂い物質を発生させる香料と、前記匂い物質とは別のマーカー物質を発生させる材料と、を収容するカートリッジと、
を備え、
前記本体の制御に応じて、前記匂い物質、及び前記マーカー物質を当該匂い提示装置の外部に放出する
ことを特徴とする匂い提示装置。
【請求項２】
前記カートリッジから外部に放出されるマーカー物質を検出するセンサーをさらに含む
ことを特徴とする匂い提示装置。
【請求項３】
請求項１又は２に記載の匂い提示装置において、
前記マーカー物質は、前記匂い物質による匂いを打ち消さない物質である
ことを特徴とする匂い提示装置。
【請求項４】
請求項１から３のいずれか一項に記載の匂い提示装置において、
前記香料と前記マーカー物質を発生させる材料とは、混合された状態で前記カートリッジ内に収容されている
ことを特徴とする匂い提示装置。
【請求項５】
請求項１から３のいずれか一項に記載の匂い提示装置において、
前記香料と前記マーカー物質を発生させる材料とは、互いに分離された状態で前記カートリッジ内に収容されている
ことを特徴とする匂い提示装置。
【請求項６】
匂い提示装置の本体に対して着脱可能に構成され、
ユーザーに匂いを感じさせる匂い物質を発生させる香料と、前記匂い物質とは別のマーカー物質を発生させる材料と、を収容し、
前記本体の制御より、前記匂い物質、及び前記マーカー物質が放出される
ことを特徴とするカートリッジ。
【請求項７】
ユーザーの頭部に装着されて使用される映像表示装置であって、
前記ユーザーに提示する映像を表示する映像表示部と、
前記ユーザーに匂いを感じさせる匂い物質、及び、前記匂い物質とは別のマーカー物質を放出する匂い提示装置と、
を備えることを特徴とする映像表示装置。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
医療用回路で使用される部品であって、
使用時に液体と接触する第１領域と、
前記第１領域とは別個の第２領域と、
前記第１領域および前記第２領域と連通し、使用時に前記第１領域から前記第２領域に液体を吸い込むように構成された微細構造化面と、を具備し、
前記微細構造化面が、各々が、表面から突出しかつ間に第１チャネルを画定する、同様の寸法を有する第１隆起および第２隆起を含む、略逆台形状構造を備える、部品。
【請求項２】
前記部品が、加湿チャンバである、請求項１に記載の部品。
【請求項３】
前記微細構造化面が、平衡接触角がπ／２ラジアン未満である基板を備える、請求項１または２に記載の部品。
【請求項４】
前記第２領域が、使用時、相対的に高速の空気にさらされ、前記第１領域が、使用時、相対的に低速の空気にさらされる、請求項１〜３のいずれか一項に記載の部品。
【請求項５】
前記第２領域が、熱源と連通するように構成される、請求項４に記載の部品。
【請求項６】
前記微細構造化面が、熱源と連通するように構成される、請求項１〜４のいずれか一項に記載の部品。
【請求項７】
前記微細構造化面が、略平行マイクロチャネルを備える、請求項１〜６のいずれか一項に記載の部品。
【請求項８】
前記第１隆起および前記第２隆起の高さが、３０μｍおよび２００μｍの範囲内である、請求項１〜７のいずれか一項に記載の部品。
【請求項９】
前記略逆台形状構造が、前記第１チャネル内のかつ前記第１隆起に隣接する第２チャネルと、前記第１チャネル内のかつ前記第２隆起に隣接する第３チャネルとを備え、前記第２チャネルおよび前記第３チャネルが、同様の寸法を有し、かつ前記第１チャネルから凹陥している、請求項１〜８のいずれか一項に記載の部品。
【請求項１０】
前記第２チャネルおよび前記第３チャネルの深さが、５μｍおよび１０μｍの範囲内である、請求項９に記載の部品。
【請求項１１】
前記第１チャネルの高さが、前記第２チャネルおよび前記第３チャネルの深さの２倍および５倍の範囲内である、請求項９または１０に記載の部品。
【請求項１２】
前記第１チャネルの高さが、前記第２チャネルおよび前記第３チャネルの深さの２倍および３倍の範囲内である、請求項１１に記載の部品。
【請求項１３】
前記第１チャネルの高さが、前記第２チャネルおよび前記第３チャネルの深さの３倍および５倍の範囲内である、請求項１１に記載の部品。
【請求項１４】
前記略逆台形状構造に対する臨界接触角θが、式
【数１】
2019048079.tif 000001
を満たし、式中、λが、前記第１チャネルの基部の断面幅の、前記第１チャネルの前記基部から測定された前記隆起の断面高さに対する比であり、φが、前記垂直軸と前記第１隆起または前記第２隆起の側面との間の角度である、請求項９〜１３のいずれか一項に記載の部品。
【請求項１５】
平面シートをさらに具備する、請求項１〜１４のいずれか一項に記載の部品。
【請求項１６】
前記平面シートが、前記部品に接着される、請求項１５に記載の部品。
【請求項１７】
前記平面シートが、可撓性である、請求項１５または１６に記載の部品。
【請求項１８】
前記平面シートが、微細構造を備える、請求項１５〜１７のいずれか一項に記載の部品。
【請求項１９】
前記平面シートが、熱伝導性材料を備える、請求項１５〜１８のいずれか一項に記載の部品。
【請求項２０】
請求項１〜１９のいずれか一項に記載の部品を具備するマスク。
【請求項２１】
第２領域と連通するドレンをさらに具備する、請求項２０に記載のマスク。
【請求項２２】
請求項１〜１９のいずれか一項に記載の部品を具備する導管。
【請求項２３】
前記部品が、前記導管の内壁の少なくとも一部を形成する、請求項２２に記載の導管。
【請求項２４】
前記部品が、前記導管の内腔内の挿入物である、請求項２２に記載の導管。
【請求項２５】
前記導管の壁が、熱源と連通するように構成される、請求項２２〜２４のいずれか一項に記載の導管。
【請求項２６】
加湿ガスと使用する医療用回路部品であって、
内部に空間を画定する壁であって、前記壁の少なくとも一部が、複数の微細構造を含む表面を備え、前記微細構造が、使用時に、液体の水を保持する第１領域から、患者へのまたは患者からの空気流にさらされる第２領域まで液体を吸い込むように構成されている、壁を具備し、
前記微細構造が、各々が、前記表面から突出しかつ間に第１チャネルを画定する、同様の寸法を有する第１隆起および第２隆起を含む、略逆台形状構造である、部品。
【請求項２７】
前記表面が、平衡接触角がπ／２ラジアン未満である外側面を有する基板を備える、請求項２６に記載の部品。
【請求項２８】
前記第１隆起および前記第２隆起の高さが、３０μｍおよび４０μｍの範囲内である、請求項２６または２７に記載の部品。
【請求項２９】
前記略逆台形状構造が、前記第１チャネル内のかつ前記第１隆起に隣接する第２チャネルと、前記第１チャネル内のかつ前記第２隆起に隣接する第３チャネルとを備え、前記第２チャネルおよび前記第３チャネルが、同様の寸法を有し、かつ前記第１チャネルから凹陥している、請求項２６〜２８のいずれか一項に記載の部品。
【請求項３０】
前記第２チャネルおよび前記第３チャネルの深さが、５μｍおよび１０μｍの範囲内である、請求項２９に記載の部品。
【請求項３１】
前記第１チャネルの高さが、前記第２チャネルおよび前記第３チャネルの深さの２倍および５倍の範囲内である、請求項２９または３０に記載の部品。
【請求項３２】
前記第１チャネルの高さが、前記第２チャネルおよび前記第３チャネルの深さの２倍および３倍の範囲内である、請求項３１に記載の部品。
【請求項３３】
前記第１チャネルの高さが、前記第２チャネルおよび前記第３チャネルの深さの３倍および５倍の範囲内である、請求項３１に記載の部品。
【請求項３４】
前記略逆台形状構造に対する臨界接触角θが、式
【数２】
2019048079.tif 000002
を満たし、式中、λが、前記第１チャネルの基部の断面幅の、前記第１チャネルの前記基部から測定された前記隆起の断面高さに対する比であり、φが、前記垂直軸と前記第１隆起または前記第２隆起の側面との間の角度である、請求項２６〜３３のいずれか一項に記載の部品。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
皮膚組織に穿孔ホールを形成する穿孔手段と、
前記皮膚組織から前記穿孔手段が除去された後、前記穿孔ホールを介して前記皮膚組織内に延在する医療用糸の経路を形成する挿入経路形成手段であって、前記経路を形成する中空の導管を具備する管部材、及び、前記導管が前記皮膚組織内で前進する際に前記導管内に挿入される支持ロッドを具備する支持部材を含む挿入経路形成手段と、
前記挿入経路形成手段から前記支持部材が除去された後、前記医療用糸を前記導管から前記皮膚組織内に押し出すプッシュ手段とを含む、医療用糸挿入施術キット。
【請求項２】
皮膚組織に穿孔ホールを形成する穿孔手段と、
前記皮膚組織から前記穿孔手段が除去された後、前記穿孔ホールを介して前記皮膚組織内に延在する医療用糸組立体の経路を形成する挿入経路形成手段であって、前記経路を形成する中空の導管を具備する管部材、及び、前記導管が前記皮膚組織内で前進する際に前記導管内に挿入される支持ロッドを具備する支持部材を含む挿入経路形成手段と、
前記挿入経路形成手段から前記支持部材が除去された後、前記医療用糸組立体を前記導管から前記皮膚組織内に押し出すプッシュ手段と、を含み、
前記医療用糸組立体は、
空洞が設けられている医療用糸支持体と、
一部が前記空洞の内部に位置する医療用糸とを含む、医療用糸挿入施術キット。
【請求項３】
前記医療用糸支持体は、截頭型円錐状に形成されている、請求項２に記載の医療用糸挿入施術キット。
【請求項４】
前記医療用糸は、前記医療用糸の挿入方向端部に向かって傾くように突出した逆とげを具備する、請求項１乃至請求項３のいずれか一項に記載の医療用糸挿入施術キット。
【請求項５】
前記導管は、可撓性を有する弾性の材質から形成されている、請求項１乃至４のいずれか一項に記載の医療用糸挿入施術キット。
【請求項６】
前記導管は、シリコーン材質によって形成されている、請求項１乃至請求項４のいずれか一項に記載の医療用糸挿入施術キット。
【請求項７】
前記支持ロッドは、前記導管より大きい剛性を有する、請求項１乃至請求項６のいずれか一項に記載の医療用糸挿入施術キット。
【請求項８】
前記支持ロッドの先端部の縦断面は、楕円又は円の一部形状となる、請求項１乃至請求項７のいずれか一項に記載の医療用糸挿入施術キット。
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
１種もしくは複数種のバイオマーカー遺伝子の発現レベルを、対象が抗ＴＬＲ４抗体に応答するかどうかの指標とする方法であって、
対象に由来する生体試料から、抗シトルリン化タンパク質抗体（ＡＣＰＡ）、シトルリン化タンパク質、ＨＭＧＢ１、Ｓ１００Ａ８／Ａ９、およびテネイシンＣからなる群から選択される１種もしくは複数種のバイオマーカー遺伝子の発現レベルを測定する工程
を含み、
前記対象は、異常なＴＬＲ４シグナル伝達または上昇したリガンド発現に関連する障害を有し、
対照レベルと比較して増大した前記１種もしくは複数種のバイオマーカー遺伝子の発現レベルは、前記対象が前記抗ＴＬＲ４抗体に応答することを示す、
方法。
【請求項２】
前記シトルリン化タンパク質が、シトルリン化フィブリノーゲン、シトルリン化フィブリン、シトルリン化ビメンチン、シトルリン化ヒストン、シトルリン化エノラーゼ、またはシトルリン化ケモカインである、請求項１に記載の方法。
【請求項３】
前記シトルリン化ヒストンが、シトルリン化ヒストン２ｂである、請求項２に記載の方法。
【請求項４】
前記シトルリン化ケモカインが、シトルリン化ＣＸＣＬ１０である、請求項２に記載の方法。
【請求項５】
前記シトルリン化タンパク質が、免疫複合体中にある、請求項１に記載の方法。
【請求項６】
免疫複合体中の前記シトルリン化タンパク質が、ＩｇＧタンパク質との免疫複合体中のシトルリン化フィブリノーゲン（ｃＦｂ）（ｃＦｂ−ＩＣ）である、請求項５に記載の方法。
【請求項７】
前記生体試料が、血液に由来する、請求項１に記載の方法。
【請求項８】
前記生体試料が、尿に由来する、請求項１に記載の方法。
【請求項９】
前記生体試料が、滑液であるか、または滑液に由来する、請求項１に記載の方法。
【請求項１０】
前記抗ＴＬＲ４抗体が、モノクローナル抗体、マウス抗体、キメラ抗体、ヒト化抗体、完全ヒトモノクローナル抗体、ドメイン抗体、単鎖抗体、Ｆａｂ、Ｆａｂ’、Ｆ（ａｂ’）２断片またはｓｃＦｖである、請求項１に記載の方法。
【請求項１１】
前記抗ＴＬＲ４抗体が、ＴＬＲ４アンタゴニストである、請求項１に記載の方法。
【請求項１２】
前記ＴＬＲ４アンタゴニストが、ＴＬＲ４に結合し、中和する、請求項１１に記載の方法。
【請求項１３】
前記抗ＴＬＲ４抗体が、ＧＧＹＳＷＨ（配列番号１）の可変重鎖相補性決定領域１（ＶＨ  ＣＤＲ１）アミノ酸配列；ＹＩＨＹＳＧＹＴＤＦＮＰＳＬＫＴ（配列番号２）のアミノ酸配列を含むＶＨ  ＣＤＲ２領域；ＫＤＰＳＤＡＦＰＹ（配列番号３）のアミノ酸配列を含むＶＨ  ＣＤＲ３領域；ＲＡＳＱＳＩＳＤＨＬＨ（配列番号４）のアミノ酸配列を含む可変軽鎖相補性決定領域１（ＶＬ  ＣＤＲ１）領域；ＹＡＳＨＡＩＳ（配列番号５）のアミノ酸配列を含むＶＬ  ＣＤＲ２領域；およびＱＱＧＨＳＦＰＬＴ（配列番号６）のアミノ酸配列を含むＶＬ  ＣＤＲ３領域を含む、請求項１に記載の方法。
【請求項１４】
前記抗ＴＬＲ４抗体が、重鎖可変アミノ酸配列ＱＶＱＬＱＥＳＧＰＧＬＶＫＰＳＤＴＬＳＬＴＣＡＶＳＧＹＳＩＴＧＧＹＳＷＨＷＩＲＱＰＰＧＫＧＬＥＷＭＧＹＩＨＹＳＧＹＴＤＦＮＰＳＬＫＴＲＩＴＩＳＲＤＴＳＫＮＱＦＳＬＫＬＳＳＶＴＡＶＤＴＡＶＹＹＣＡＲＫＤＰＳＤＡＦＰＹＷＧＱＧＴＬＶＴＶＳＳ（配列番号７）、および軽鎖可変アミノ酸配列ＥＩＶＬＴＱＳＰＤＦＱＳＶＴＰＫＥＫＶＴＩＴＣＲＡＳＱＳＩＳＤＨＬＨＷＹＱＱＫＰＤＱＳＰＫＬＬＩＫＹＡＳＨＡＩＳＧＶＰＳＲＦＳＧＳＧＳＧＴＤＦＴＬＴＩＮＳＬＥＡＥＤＡＡＴＹＹＣＱＱＧＨＳＦＰＬＴＦＧＧＧＴＫＶＥＩＫ（配列番号８）を含む、請求項１３に記載の方法。
【請求項１５】
前記抗ＴＬＲ４抗体が、重鎖アミノ酸配列
ＭＧＷＳＷＩＦＬＦＬＬＳＧＴＡＧＶＨＣＱＶＱＬＱＥＳＧＰＧＬＶＫＰＳＤＴＬＳＬＴＣＡＶＳＧＹＳＩＴＧＧＹＳＷＨＷＩＲＱＰＰＧＫＧＬＥＷＭＧＹＩＨＹＳＧＹＴＤＦＮＰＳＬＫＴＲＩＴＩＳＲＤＴＳＫＮＱＦＳＬＫＬＳＳＶＴＡＶＤＴＡＶＹＹＣＡＲＫＤＰＳＤＡＦＰＹＷＧＱＧＴＬＶＴＶＳＳＡＳＴＫＧＰＳＶＦＰＬＡＰＳＳＫＳＴＳＧＧＴＡＡＬＧＣＬＶＫＤＹＦＰＥＰＶＴＶＳＷＮＳＧＡＬＴＳＧＶＨＴＦＰＡＶＬＱＳＳＧＬＹＳＬＳＳＶＶＴＶＰＳＳＳＬＧＴＱＴＹＩＣＮＶＮＨＫＰＳＮＴＫＶＤＫＲＶＥＰＫＳＣＤＫＴＨＴＣＰＰＣＰＡＰＥＬＬＧＧＰＳＶＦＬＦＰＰＫＰＫＤＴＬＭＩＳＲＴＰＥＶＴＣＶＶＶＤＶＳＨＥＤＰＥＶＫＦＮＷＹＶＤＧＶＥＶＨＮＡＫＴＫＰＲＥＥＱＹＮＳＴＹＲＶＶＳＶＬＴＶＬＨＱＤＷＬＮＧＫＥＹＫＣＫＶＳＳＫＡＦＰＡＰＩＥＫＴＩＳＫＡＫＧＱＰＲＥＰＱＶＹＴＬＰＰＳＲＥＥＭＴＫＮＱＶＳＬＴＣＬＶＫＧＦＹＰＳＤＩＡＶＥＷＥＳＮＧＱＰＥＮＮＹＫＴＴＰＰＶＬＤＳＤＧＳＦＦＬＹＳＫＬＴＶＤＫＳＲＷＱＱＧＮＶＦＳＣＳＶＭＨＥＡＬＨＮＨＹＴＱＫＳＬＳＬＳＰＧＫ（配列番号９）、および
軽鎖アミノ酸配列
ＭＥＷＳＷＶＦＬＦＦＬＳＶＴＴＧＶＨＳＥＩＶＬＴＱＳＰＤＦＱＳＶＴＰＫＥＫＶＴＩＴＣＲＡＳＱＳＩＳＤＨＬＨＷＹＱＱＫＰＤＱＳＰＫＬＬＩＫＹＡＳＨＡＩＳＧＶＰＳＲＦＳＧＳＧＳＧＴＤＦＴＬＴＩＮＳＬＥＡＥＤＡＡＴＹＹＣＱＱＧＨＳＦＰＬＴＦＧＧＧＴＫＶＥＩＫＲＴＶＡＡＰＳＶＦＩＦＰＰＳＤＥＱＬＫＳＧＴＡＳＶＶＣＬＬＮＮＦＹＰＲＥＡＫＶＱＷＫＶＤＮＡＬＱＳＧＮＳＱＥＳＶＴＥＱＤＳＫＤＳＴＹＳＬＳＳＴＬＴＬＳＫＡＤＹＥＫＨＫＶＹＡＣＥＶＴＨＱＧＬＳＳＰＶＴＫＳＦＮＲＧＥＣ（配列番号１０）
を含む、請求項１４に記載の方法。
【請求項１６】
前記対象がヒトである、請求項１に記載の方法。
【請求項１７】
前記障害が、自己免疫障害または炎症性障害である、請求項１に記載の方法。
【請求項１８】
前記障害が関節リウマチ（ＲＡ）である、請求項１に記載の方法。
【請求項１９】
前記障害がアテローム性動脈硬化症である、請求項１に記載の方法。
【請求項２０】
前記障害が、臓器または組織の移植と関連している、請求項１に記載の方法。
【請求項２１】
前記障害が、急性肺傷害と関連している、請求項１に記載の方法。
【請求項２２】
前記障害が、虚血／再潅流傷害と関連している、請求項１に記載の方法。
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
以下の式の化合物
【化６６】
2019048894.tif 000001
またはその薬学的に許容され得る塩。
【請求項２】
Ｔｉｅ−２活性化物質および該Ｔｉｅ−２活性化物質の立体異性体を含む薬学的組成物であって、ここで、該Ｔｉｅ−２活性化物質の該立体異性体は、以下の式の化合物
【化６０】
2019048894.tif 000002
またはその薬学的に許容され得る塩であり、
ここで、該立体異性体は、該Ｔｉｅ−２活性化物質の効力の０．００１％〜１００％である効力でＴｉｅ−２を活性化する、薬学的組成物。
【請求項３】
前記立体異性体が、ＨＰＴＰ−ベータに結合する、請求項２に記載の薬学的組成物。
【請求項４】
前記立体異性体が、ＨＰＴＰ−ベータを阻害する、請求項２に記載の薬学的組成物。
【請求項５】
以下の式の化合物
【化６６】
2019048894.tif 000003
またはその薬学的に許容され得る塩を含む薬学的組成物。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
キメラ、ヒト若しくはヒト化抗ＣＧＲＰ抗体若しくは抗ＣＧＲＰ抗体断片を含む、下痢若しくは赤痢を抑制、予防または治療する、ならびに／または下痢若しくは赤痢に関連する状態を有する対象の結腸における適切な電解質および体液レベルを維持するための医薬組成物であって、
ここで、前記キメラ、ヒト若しくはヒト化抗ＣＧＲＰ抗体若しくは抗ＣＧＲＰ抗体断片は、配列番号２５の相補性決定領域（ＣＤＲ）１配列、配列番号２６のＣＤＲ２配列、および配列番号２７のＣＤＲ３配列を含む可変軽（ＶＬ）鎖、ならびに配列番号２８のＣＤＲ１配列、配列番号２９のＣＤＲ２配列、および配列番号３０のＣＤＲ３配列を含む可変重（ＶＨ）鎖を含む、前記医薬組成物。
【請求項２】
医薬組成物が、配列番号２１の配列を含む可変軽（ＶＬ）鎖、および配列番号２３の配列を含む可変重（ＶＨ）鎖を含む抗ＣＧＲＰ抗体または抗ＣＧＲＰ抗体断片を含む、請求項１に記載の医薬組成物。
【請求項３】
医薬組成物が、配列番号２２の配列を含む軽鎖、および配列番号２４の配列を含む重鎖を含む抗ＣＧＲＰ抗体または抗ＣＧＲＰ抗体断片を含む、請求項１に記載の医薬組成物。
【請求項４】
（ｉ）下痢または赤痢がＣＧＲＰ増加と関連する；
（ｉｉ）下痢が急性下痢または慢性下痢である；
（ｉｉｉ）下痢が、浸透圧性下痢、分泌性下痢、運動性下痢、滲出性下痢および／または炎症性下痢を含む；
（ｉｖ）下痢が、機能性腸疾患、過敏性腸症候群、セリアック病、膵疾患、膵炎、Ｉ型またはＩＩ型糖尿病、嚢胞性線維症、クローン病、糖尿病性神経障害、月経、甲状腺機能亢進症、ホルモン不均衡、腸炎、炎症性腸疾患、顕微鏡的大腸炎、虚血性腸疾患、潰瘍性大腸炎、粘膜炎または結核より選択される慢性または急性の状態に起因する；
（ｖ）下痢に至る状態が、細菌、寄生虫またはウイルス誘発性下痢である；
（ｖｉ）下痢に至る状態が、赤痢アメーバ、ジアルジア属または別の原虫より選択される寄生虫である；
（ｖｉｉ）下痢に至る状態が、大腸菌、赤痢菌、赤痢アメーバ菌、サルモネラ菌、カンピロバクター菌またはクロストリジウム・ディフィシル菌より選択される細菌による感染である；
（ｖｉｉｉ）下痢に至る状態が、ロタウイルス、ＲＳＶ、ＨＩＶ、ノロウイルス、アデノウイルスおよびアストロウイルスより選択されるウイルスによる感染である；
（ｉｘ）下痢に至る状態が食中毒である；
（ｘ）下痢に関連する状態が、胃食道逆流症、胃腸障害、過敏性腸症候群、機能性腹痛症候群、胆汁酸吸収不良または憩室炎からなる群より選択される機能性腸疾患である；
（ｘｉ）下痢に関連する状態が、クローン病、回腸炎、コラーゲン形成大腸炎、リンパ球性大腸炎および潰瘍性大腸炎からなる群より選択される炎症性腸疾患である；
（ｘｉｉ）下痢に関連する状態が、癌または下痢を伴う癌治療である；
（ｘｉｉｉ）下痢に関連する状態が、癌または癌治療であり、ここで当該癌は、甲状腺髄様癌、ホルモン分泌腫瘍疾患、腎臓癌、肝臓癌または結腸直腸癌から選択される癌である；
（ｘｉｖ）下痢に関連する状態が、癌、あるいは、化学療法、サイトカイン療法、および放射線、またはそれらの組み合わせより選択される癌治療である；
（ｘｖ）下痢に関連する状態が、粘膜炎または消化管刷子縁の損傷をもたらす癌または癌治療、例えば白金化合物によるものである；
（ｘｖｉ）下痢に関連する状態が、薬物、化学療法、イムノレジメン、細胞療法および／または放射線療法の使用を含む治療である；
（ｘｖｉｉ）下痢に関連する状態が、抗生物質；ＮＳＡＩＤ若しくはオピオイド化合物を含む鎮痛剤；抗鬱剤；またはホルモン；の使用を含む治療である、
請求項１〜３のいずれか１項に記載の医薬組成物。
【請求項５】
医薬組成物が単独治療として使用され、又は、抗ＣＧＲＰ抗体若しくは抗体断片が別の止瀉薬の投与を含む治療計画において使用される、請求項１〜４のいずれか１項に記載の医薬組成物。
【請求項６】
医薬組成物が、ロペラミドを含む腸運動抑制薬；ビスマス化合物；コデイン；亜鉛化合物；コレスチラミン、コレスチポール若しくはコレセベラムを含む胆汁酸捕捉剤；電解質溶液；またはプロバイオティクスから選択される別の止瀉薬の投与を含む治療計画において使用される、請求項１〜５のいずれか１項に記載の医薬組成物。
【請求項７】
（ｉ）医薬組成物が、筋内、皮下、静脈内、直腸内、輸液、経口、経皮または吸引投与用に適応される；または
（ｉｉ）医薬組成物が静脈内投与用に適応される、
請求項１〜６のいずれか１項に記載の医薬組成物。
【請求項８】
ＣＧＲＰ関連の下痢が、過敏性腸症候群に関連の下痢、炎症性腸疾患、クローン病、回腸炎、潰瘍性大腸炎、コレラ、膵疾患、ラクトース不耐性、フルクトース吸収不良、吸収不良、マグネシウム過剰服用もしくは過剰摂取、ビタミンＣ過剰服用もしくは過剰摂取、ソルビトール過剰服用もしくは過剰摂取、食中毒、大腸菌感染、酵素欠損症、粘膜異常、セリアック病、グルテン不耐性、悪性貧血、食物アレルギー、食物不耐性、短腸症候群、放射線線維症、化学療法関連の下痢、オーリスタット治療、嚢胞性線維症、膵炎、慢性エタノール摂取、虚血性腸疾患、顕微鏡的大腸炎、胆汁酸塩吸収不良（原発性胆汁酸下痢）、セラトニンの分泌もしくはそのレベルの上昇、またはトドラーの下痢より選択される、請求項１〜７のいずれか１項に記載の医薬組成物。
【請求項９】
医薬組成物が、以下：
（ｉ）抗生物質、抗ウイルス剤、吸収材、腸運動抑制薬物、ビスマス化合物、次サリチル酸ビスマス、胆汁酸捕捉剤、プロバイオティクス、消化酵素、ラクターゼ、亜鉛、経口補液療法、またはそれらのあらゆる組み合わせ：から選択される別の治療剤または治療計画の使用；
（ｉｉ）ロペラミド（イモジウム）、アトロピンと共にジフェノキシラート（ロモティル）、アヘン剤、アヘンのパレゴリックチンキ、コデイン、またはモルヒネから選択される腸運動抑制薬の使用；及び／又は
（ｉｉｉ）コレスチラミン、コレスチポール、またはコレセベラム：から選択される胆汁酸捕捉剤の使用；
をさらに含む治療計画において使用される、請求項１〜８のいずれか１項に記載の医薬組成物。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
組成物の総重量に基づく１重量％〜５０重量％の薬学的活性剤；
組成物の総重量に基づく２５重量％〜８０重量％のスクロースアセテートイソブチレート；
組成物の総重量に基づく１重量％〜５０重量％の、アルコキシ末端基を含む乳酸系ポリマーであって、ここで、乳酸系ポリマーは、１０００ダルトン〜３０，０００ダルトンの重量平均分子量を有し、ここで、乳酸系ポリマーは、乳酸とグリコール酸のモル比が１００：０〜４０：６０を有するポリ（乳酸）（グリコール酸）を含み；および
組成物の総重量に基づく１０重量％〜６０重量％の炭酸プロピレン；
を含む組成物であって、
ここで、該組成物は、（ｉ）薬学的活性剤を含む粒子であって、該粒子は、レーザー回折により測定された０．１マイクロメートル〜１００マイクロメートルの中心粒径を有する粒子、（ｉｉ）スクロースアセテートイソブチレート、（ｉｉｉ）アルコキシ末端基を含む乳酸系ポリマー、および（ｉｖ）炭酸プロピレン、を組み合わせて得られうる、組成物。
【請求項２】
薬学的活性剤が、２５℃において、組成物中１０ｍｇ／ｍｌ未満の溶解度を有する、請求項１に記載の組成物。
【請求項３】
スクロースアセテートイソブチレートが、組成物の総重量に基づき３０重量％〜６０重量％で存在する、請求項１又は２に記載の組成物。
【請求項４】
乳酸系ポリマーが、組成物の総重量に基づき５重量％〜３０重量％で存在する、請求項１〜３のいずれか１項に記載の組成物。
【請求項５】
ポリ（乳酸）（グリコール酸）が、乳酸とグリコール酸のモル比が９５：５〜６０：４０を有する、請求項１〜４のいずれか１項に記載の組成物。
【請求項６】
炭酸プロピレンが、組成物の総重量に基づき１０重量％〜４０重量％で存在する、請求項１〜５のいずれか１項に記載の組成物。
【請求項７】
組成物が、ガンマ線で照射された組成物である、請求項１〜６のいずれか１項に記載の組成物。
【請求項８】
２５℃、５０ｓ−１剪断速度で５０００ｃＰ未満の粘度を有する、請求項１〜７のいずれか１項に記載の組成物。
【請求項９】
組成物が、更に、増粘剤、抗酸化剤、防腐剤及び粒子安定剤から選択される少なくとも１つを含む、請求項１〜８のいずれか１項に記載の組成物。
【請求項１０】
２ｍＬの組成物が直立型（upright）２ｍＬバイアル瓶に１０ヶ月間５℃で保管される場合、初期濃度で除算した最高濃度と最低濃度との差は、３５％未満であり、
最高濃度は、１０ヶ月の保管後での直立型２ｍＬバイアル瓶中の組成物の最高１０％の薬学的活性剤の濃度であり、
最低濃度は、１０ヶ月の貯蔵後での直立型２ｍＬバイアル瓶中の組成物の最低１０％の薬学的活性剤の濃度であり、そして
初期濃度は、１０ヶ月の貯蔵前の組成物の薬学的活性剤濃度である、
請求項１〜９のいずれか１項に記載の組成物。
【請求項１１】
初期濃度で除算した最高濃度と最低濃度との差が１５％未満である、請求項１０に記載の組成物。
【請求項１２】
初期濃度で除算した最高濃度と最低濃度との差が１０％未満である、請求項１０に記載の組成物。
【請求項１３】
乳酸系ポリマーが、８〜２４の炭素よりなるアルコキシ末端基を含む、請求項１〜１２のいずれか１項に記載の組成物。
【請求項１４】
薬学的活性剤が、抗ウイルス剤である、請求項１〜１３のいずれか１項に記載の組成物。
【請求項１５】
薬学的活性剤が、組成物中に懸濁されている、請求項１〜１４のいずれか１項に記載の組成物。